(57)【要約】【課題】ケース内に吸着体を弾性的に保持する保持部材による吸着体の肩部の破損を防止あるいは低減する。【解決手段】蒸発燃料処理装置は、蒸発燃料ガスに含まれるベーパを吸着及び脱離可能なハニカム構造の吸着体３４と、吸着体３４を収容するケースの副ケース体１６と、副ケース体１６内に吸着体３４を弾性的に保持する保持部材６５，６６とを備える。保持部材６５，６６が、吸着体３４の外周面に接触する外周面保持材７１，７７と、吸着体３４の端面に接触しかつ外周面保持材７１，７７の弾性よりも低い弾性を有する端面保持材７２，７８とをそれぞれ独立的に備える。【選択図】図１８
2011220345.tif 000002
【特許請求の範囲】
【請求項１】
軸方向に延びる外周面及び軸方向に交差する端面を有する柱状をなし、かつ、軸方向に延びる多数のガス通過孔を有し、該ガス通過孔内を蒸発燃料ガスが流れることにより蒸発燃料ガスに含まれるベーパを吸着及び脱離可能なハニカム構造の吸着体と、
前記吸着体を収容するケースと、
前記ケース内に前記吸着体を弾性的に保持する保持部材と
を備える蒸発燃料処理装置であって、
前記保持部材が、前記吸着体の外周面に接触する外周面保持材と、前記吸着体の端面に接触しかつ前記外周面保持材の弾性よりも低い弾性を有する端面保持材とをそれぞれ独立的に備えている
ことを特徴とする蒸発燃料処理装置。
【請求項２】
請求項１に記載の蒸発燃料処理装置であって、
前記端面保持材が、前記吸着体の端面を全体的に覆いかつ通気性を有する部材であることを特徴とする蒸発燃料処理装置。
【発明の詳細な説明】
【技術分野】
【０００１】
本発明は、主として車両に搭載される蒸発燃料処理装置に関する。
【背景技術】
【０００２】
従来例に係る蒸発燃料処理装置を説明する。なお、図２６は蒸発燃料処理装置を示す断面図である。
図２６に示すように、蒸発燃料処理装置２０１は、蒸発燃料ガスに含まれるベーパを吸着及び脱離可能なハニカム構造の吸着体２０２と、その吸着体２０２を収容するケース２０３と、ケース２０３内に吸着体２０２を弾性的に保持する一対の保持部材２０４，２０５とを備えている。ケース２０３内に対する吸着体２０２の挿入側（図２６において右側）に配置される保持部材２０４は、吸着体２０２の外周面に接触する外周面保持部２０４ａ、及び、その吸着体２０２の端面に接触する端面保持部２０４ｂを有する円環状に形成されている。また、吸着体２０２の他側（図２６において左側）に配置される保持部材２０５は、吸着体２０２の外周面に接触する円環状に形成されている。また、吸着体２０２の他側（図２６において左側）の端面には、その端面を全面的に覆う不織布から成るフィルター２０６が配置されている。なお、このような蒸発燃料処理装置２０１は、例えば特許文献１に記載されている。
【先行技術文献】
【特許文献】
【０００３】
【特許文献１】特開２００４−１００６９１号公報（［００８２］、図１７参照）
【発明の概要】
【発明が解決しようとする課題】
【０００４】
ところで、吸着体２０２は、機械的強度が低いため、とくに外周面と軸方向端面（以下、「端面」という。）とのなす肩部２０２ａが脆く、破損しやすい。このため、吸着体２０２の外周面に接触する外周面保持部２０４ａ、及び、その吸着体２０２の端面に接触する端面保持部２０４ｂを有する保持部材２０４を使用すると、吸着体２０２に保持部材２０４を装着する際に、吸着体２０２の肩部２０２ａを破損しやすいという問題点があった。
本発明が解決しようとする課題は、ケース内に吸着体を弾性的に保持する保持部材による吸着体の肩部の破損を防止あるいは低減することのできる蒸発燃料処理装置を提供することにある。
【課題を解決するための手段】
【０００５】
前記課題は、特許請求の範囲の欄に記載された構成を要旨とする蒸発燃料処理装置により解決することができる。なお、本明細書でいう「吸着体」とは、活性炭とバインダを練り合わせたハニカム（「モノリス」とも呼ばれる。）構造の通気性を有する吸着体のことをいう。
【０００６】
特許請求の範囲の請求項１に記載された蒸発燃料処理装置によると、保持部材が備える外周面保持材が吸着体の外周面に接触するとともに、該保持部材が備える端面保持材が吸着体の端面に接触することにより、ケース内に吸着体を弾性的に保持することができる。ところで、外周面保持材と端面保持材とをそれぞれ独立的に備え、端面保持材が外周面保持材の弾性よりも低い弾性を有するものであるから、吸着体の肩部に加わる外力を低減することができる。これによって、保持部材による吸着体の肩部の破損を防止あるいは低減することができる。
【０００７】
また、特許請求の範囲の請求項２に記載された蒸発燃料処理装置によると、端面保持材が、吸着体の端面を全体的に覆いかつ通気性を有する部材である。したがって、端面保持材により、吸着体の端面を全体的に保護しながらも、吸着体に対する通気性を確保することができる。
【図面の簡単な説明】
【０００８】
【図１】実施例１に係る蒸発燃料処理装置を一部破断して示す側面図である。
【図２】吸着体を示す斜視図である。
【図３】図１のIII部を示す断面図である。
【図４】図１のIV部を示す断面図である。
【図５】第１の保持部材を装着した吸着体を示す端面図である。
【図６】第１の保持部材を装着した吸着体の要部を示す側断面図である。
【図７】実施例２に係る蒸発燃料処理装置を一部破断して示す側面図である。
【図８】実施例３に係る第１の保持部材を装着した吸着体を示す端面図である。
【図９】第１の保持部材を装着した吸着体の要部を示す側断面図である。
【図１０】実施例４に係る蒸発燃料処理装置を一部破断して示す側面図である。
【図１１】図１０のXI部を示す断面図である。
【図１２】図１０のXII部を示す断面図である。
【図１３】第１の保持部材を装着した吸着体を示す端面図である。
【図１４】第１の保持部材を装着した吸着体の要部を示す側断面図である。
【図１５】実施例５に係る蒸発燃料処理装置を一部破断して示す側面図である。
【図１６】実施例６に係るに係る第１の保持部材を装着した吸着体を示す端面図である。
【図１７】第１の保持部材を装着した吸着体の要部を示す側断面図である。
【図１８】実施例７に係る蒸発燃料処理装置を一部破断して示す側面図である。
【図１９】図１８のXIX部を示す断面図である。
【図２０】図１８のXX部を示す断面図である。
【図２１】第１の保持部材の外周面保持材を示す平面図である。
【図２２】第１の保持部材の外周面保持材を示す側断面図である。
【図２３】第２の保持部材の外周面保持材を示す平面図である。
【図２４】第２の保持部材の外周面保持材を示す側断面図である。
【図２５】実施例８に係る蒸発燃料処理装置を一部破断して示す側面図である。
【図２６】従来例に係る蒸発燃料処理装置を示す断面図である。
【発明を実施するための形態】
【０００９】
以下に本発明を実施するための形態を図面を用いて説明する。
【実施例】
【００１０】
［実施例１］
本発明の実施例１を説明する。説明の都合上、蒸発燃料処理装置の概要を説明した後で、吸着体の保持構造を説明することにする。なお、図１は蒸発燃料処理装置を一部破断して示す側面図である。
図１に示すように、蒸発燃料処理装置１０が備えるケース１２は、その主体をなす主ケース体１４と、その主ケース体１４と別体をなす副ケース体１６と、主ケース体１４と副ケース体１６とを連通する連通管１８とにより構成されている。なお、説明の都合上、ケースの上下左右は、図１における上下左右に準じるものとする。また、実施例１〜６は本発明の関連技術である。
【００１１】
前記主ケース体１４は、中空ボックス状に形成されている。主ケース体１４は、上面を閉鎖しかつ下面を開口するケース本体２０と、ケース本体２０の下面開口部を閉鎖する蓋板２１とにより構成されている。主ケース体１４の上面には、タンクポート２３、パージポート２４及び接続ポート２５が設けられている。タンクポート２３には、燃料タンクの気相部に連通する蒸発燃料ガス通路（図示しない）が接続される。燃料タンク内で発生した蒸発燃料ガスは、蒸発燃料ガス通路及びタンクポート２３を介して主ケース体１４内に導入される。なお、蒸発燃料ガスは、主に炭化水素化合物（以下、「ベーパ」という。）と空気との混合気からなる。
【００１２】
前記パージポート２４には、エンジンの吸気管に連通するパージ通路（図示しない）が接続される。そのパージ通路の途中にはパージ制御弁が設けられており、パージ制御弁をエンジン運転中に制御装置により制御することにより、ベーパの脱離に係るパージ制御が行われるようになっている。また、前記接続ポート２５には、前記連通管１８の一端部が接続されている。
【００１３】
前記主ケース体１４内には、活性炭からなる粒状の吸着材（図示しない）がそれぞれ充填されている。吸着材は、タンクポート２３から主ケース体１４内に導入された蒸発燃料ガスに含まれるベーパを吸着するためのものであり、造粒炭、破砕炭等により構成されている。
【００１４】
前記副ケース体１６は、中空円筒状のケース筒部２７と、そのケース筒部２７の上面開口部を閉鎖する蓋板部２８とを有している。蓋板部２８には、副ケース体１６内に連通する接続ポート３０が設けられている。接続ポート３０には、前記連通管１８の他端部が接続されている。これにより、主ケース体１４内と副ケース体１６内とが連通管１８を介して連通されている。また、副ケース体１６の下端部には、口径を小さくする大気ポート３１が設けられている。大気ポート３１には、大気側に連通する大気通路（図示しない）が接続される。また、副ケース体１６の下端部には、大気ポート３１の周辺部を取り囲むカバー筒部３２が設けられている。また、副ケース体１６は、前記主ケース体１４の側面に装着されている。なお、ケース筒部２７は、大気ポート３１側の内径より蓋板２１側の内径を大きくする緩やかなテーパ状に形成されている。
【００１５】
前記副ケース体１６のケース筒部２７内には、ハニカム構造の吸着体３４が収容されている。なお、図２は吸着体を示す斜視図である。
図２に示すように、吸着体３４は、円柱状をなしかつ軸方向（図１において上下方向）に延びる多数のガス通過孔３５を有している。また、吸着体３４は、ガス通過孔３５内を蒸発燃料ガスが流れることにより、蒸発燃料ガスに含まれるベーパを吸着及び脱離可能である。また、吸着体３４の外周面と端面とのなす隅角部分を肩部３４ａという。なお、吸着体３４は、例えばセラミック等の熱容量の高い材料と活性炭等の吸着材とを所定の割合で混合した後、所定形状（例えば円柱状）に成形してから焼成したものである。
【００１６】
図１に示すように、前記副ケース体１６のケース筒部２７内には、前記吸着体３４が上下一対の保持部材３８，３７により弾性的に保持されている。なお、下側の保持部材３７は、前記大気ポート３１の上端部に設けられた通気性を有するフィルター４０に対して近接又は当接されている。また、上側の保持部材３８上には、リング状をなす押さえ部材４２が同心状に載置されている。また、蓋板部２８は、押さえ部材４２上にコイルスプリングからなる押さえスプリング４３を同心状に配置した後、ケース筒部２７の上面開口部にに対して溶着、接着等により装着されている。押さえスプリング４３は、吸着体３４を弾性的に押圧している。なお、保持部材３７，３８による吸着体３４の保持構造については後で説明する。
【００１７】
次に、前記した蒸発燃料処理装置１０（図１参照）の動作について説明する。燃料タンク内で発生した蒸発燃料ガスは、タンクポート２３を介して主ケース体１４内に導入される。その蒸発燃料ガスは、主ケース体１４内の吸着材の相互間の隙間を通り抜けた後、接続ポート２５、連通管１８、接続ポート３０を経由して、副ケース体１６内に流入する。その蒸発燃料ガスは、吸着体３４のガス通過孔３５（図２参照）内を通り抜けた後、大気ポート３１から大気側へ放出される。その際、蒸発燃料ガス中のベーパは、主ケース体１４内の吸着材に吸着され、残りが副ケース体１６内の吸着体３４に吸着される。これにより、最終的には、燃料成分を含まない空気が大気ポート３１から大気側へ放出される。
【００１８】
一方、エンジン運転中のパージ制御の際、図示しない制御装置によりパージ制御弁が開放されると、吸気管内の負圧がパージポート２４を介して主ケース体１４内に導入されることにより、大気中の空気が副ケース体１６の大気ポート３１から副ケース体１６内に吸入される。その空気は、吸着体３４のガス通過孔３５内を通り抜け、連通管１８を経由して、主ケース体１４内の吸着材の相互間の隙間を通り抜けた後、パージポート２４から吸気管内へパージされる。その際、吸着材及び吸着体３４からベーパが脱離されて吸気管内に流入される。
【００１９】
次に、前記蒸発燃料処理装置１０における吸着体３４の保持構造について説明する。なお、図３は図１のIII部を示す断面図、図４は図１のIV部を示す断面図、図５は第１の保持部材を装着した吸着体を示す端面図、図６は同じく吸着体の要部を示す側断面図である。また、説明の都合上、図１において、下側の保持部材３７を第１の保持部材３７といい、上側の保持部材３８を第２の保持部材３８という。また、第１の保持部材３７と第２の保持部材３８とは基本的には同一構成であるから、第１の保持部材３７について説明し、第２の保持部材３８については第１の保持部材３７と同一部位に同一符号を付すことによりその説明を省略し、異なる構成についてのみ説明する。
【００２０】
図５に示すように、第１の保持部材３７は、ゴム状弾性材により円環状に形成されている。また、図６に示すように、第１の保持部材３７は、前記吸着体３４の外周面に接触する外周面保持部４５、及び、該吸着体３４の端面に接触する端面保持部４７を有する断面Ｌ字状に形成されている。また、保持部材３７の内周部には、前記吸着体３４の肩部３４ａに対応する断面Ｌ字状の逃がし凹部４９が設けられている。逃がし凹部４９は、保持部材３８の全周に亘って連続している。また、外周面保持部４５の自由端部（図６において下端部）には、テーパ円筒状のリップシール部５１が形成されている。リップシール部５１は、吸着体３４の挿入方向と反対方向（図３において上方、図６において下方）へ向かって外径を次第に大きくするリップ状に形成されている。なお、第１の保持部材３７には、非通気性のゴム状弾性材が用いられている。
【００２１】
また、第２の保持部材３８は、前記吸着体３４を間にして前記第１の保持部材３７と上下対称状をなすように配置されている（図３及び図４参照）。このため、第２の保持部材３８のリップシール部５１は、外周面保持部４５の外周面から、吸着体３４の挿入方向と反対方向（図４において上方）へ向かって外径を次第に大きくするテーパ状に形成されている。
【００２２】
次に、前記副ケース体１６のケース筒部２７内に前記吸着体３４を挿入するに際して、該吸着体３４の挿入側（図１において下側）の端部には、第１の保持部材３７が嵌合により弾性的に装着される（図３、図５及び図６参照）。また、該吸着体３４の挿入側と反対側（図１において上側）の端部には、第２の保持部材３７が嵌合により弾性的に装着される（図４参照）。
【００２３】
両保持部材３７，３８を装着した吸着体３４は、前記副ケース体１６のケース筒部２７内に蓋板部２８の取付けに先立って挿入される。すると、図３に示すように、第１の保持部材３７の外周面保持部４５の外周面とケース筒部２７の内周面との間に隙間が形成される状態で、リップシール部５１の大径側端部がケース筒部２７の内周面に弾性的に接触する。また、図４に示すように、第２の保持部材３７の外周面保持部４５の外周面とケース筒部２７の内周面との間に隙間が形成される状態で、リップシール部５１の大径側端部がケース筒部２７の内周面に弾性的に接触する。これにより、ケース筒部２７内に吸着体３４が両保持部材３７，３８により弾性的に保持される。これとともに、ケース筒部２７と吸着体３４との間が両保持部材３７，３８によって弾性的にシールされる。なお、第１の保持部材３７の端面保持部４７は、前記フィルター４０に対して近接又は当接される（図３参照）。また、第２の保持部材３８の端面保持部４７上には、前記押さえ部材４２が有する円環状の押さえ部４２ａが当接される（図４参照）。
【００２４】
前記した蒸発燃料処理装置１０によると、両保持部材３７，３８の外周面保持部４５が吸着体３４の外周面にそれぞれ接触するとともに、該保持部材３７，３８の端面保持部４７が吸着体３４の端面にそれぞれ接触することにより、ケース１２（詳しくは、副ケース体１６）内に吸着体３４を弾性的に保持することができる。ところで、両保持部材３７，３８に設けられた逃がし凹部４９が吸着体３４の外周面と端面とのなす肩部３４ａに対応するため、その肩部３４ａに対する両保持部材３７，３８の接触を回避することができる。これによって、両保持部材３７，３８による吸着体３４の肩部３４ａの破損を防止あるいは低減することができる。また、本実施例において、主ケース体１４及び連通管１８を省略し、吸着体３４を備えた副ケース体１６により蒸発燃料処理装置１０を構成することもできる。
【００２５】
［実施例２］
本発明の実施例２を説明する。本実施例は、前記実施例１に変更を加えたものであるから、その変更部分について説明し、重複する説明は省略する。また、以降の実施例についても、その変更部分について説明し、重複する説明は省略する。なお、図７は蒸発燃料処理装置を一部破断して示す側面図である。
図７に示すように、本実施例の蒸発燃料処理装置（符号、１１０を付す）は、前記実施例１（図１参照）における副ケース体１６及び連通管１８を省略し、前記主ケース体１４のケース本体２０における接続ポート２５を含む側部に、前記実施例１における副ケース体１６のケース筒部２７と同一構成をなすケース筒部２７（同一符号を付す）が形成されている。大気ポート３１及びカバー筒部３２はケース本体２０の上面側に向けられ、また、ケース筒部２７の開口側（蓋板部側）の端部は、蓋板２１に対して所定の間隔を隔てて開口されている。したがって、ケース筒部２７内は、蓋板２１側の隙間を介してケース本体２０内と連通している。
【００２６】
前記ケース筒部２７の下方寄りの中央部内には、前記実施例１における押さえ部材４２に代えて、多孔を有する押さえ部材１１２が装着されている。なお、押さえ部材１１２は、前記押さえ部材４２と同様、第２の保持部材３８の端面保持部４７（図４参照）に当接する円環状の押さえ部１１２ａを有している。
さらに、ケース筒部２７の下面開口部には、通気性を有する押圧プレート１１４がそれぞれ水平状態で上下動可能に嵌合されている。押圧プレート１１４と蓋板２１との間には、各押圧プレート１１４を弾性的に押し上げるコイルスプリングからなる押上げスプリング１１５が介在されている。また、押さえ部材１１２と押圧プレート１１４との間には、活性炭からなる粒状の吸着材１１８が充填されている。なお、押圧プレート１１４上には、通気性を有するフィルター１１６が重合されている。
【００２７】
［実施例３］
本発明の実施例３を説明する。本実施例は、前記実施例１における第１の保持部材３７に変更を加えたものである。なお、図８は第１の保持部材を装着した吸着体を示す端面図、図９は同じく要部を示す側断面図である。
図８及び図９に示すように、本実施例は、前記第１の保持部材３７における端面保持部４７内に十文字状のリブ部５３を設けたものである。このように、端面保持部４７内にリブ部５３を設けることにより、端面保持部４７を補強することができる。なお、リブ部５３の形状は、端面保持部４７を補強する形状であればよく、十文字の他、例えば一文字、３本スポーク状、メッシュ状等のように種々の形状が考えられる。また、リブ部５３は、前記第２の保持部材３８の端面保持部４７に適用することもできる。
【００２８】
［実施例４］
本発明の実施例４を説明する。本実施例は、前記実施例１における吸着体３４の保持構造を変更したものである。なお、図１０は蒸発燃料処理装置を一部破断して示す側面図、図１１は図１０のXI部を示す断面図、図１２は図１０のXII部を示す断面図、図１３は第１の保持部材を装着した吸着体を示す端面図、図１４は同じく吸着体の要部を示す側断面図である。また、説明の都合上、図１０において、下側の保持部材を第１の保持部材５５といい、上側の保持部材を第２の保持部材５６という。また、第１の保持部材５５と第２の保持部材５６とは基本的には同一構成であるから、第１の保持部材５５について説明し、第２の保持部材５６については第１の保持部材５５と同一部位に同一符号を付すことによりその説明を省略し、異なる構成についてのみ説明する。
【００２９】
図１３及び図１４に示すように、本実施例における第１の保持部材５５は、前記吸着体３４の外周面に接触する外周面保持材５８と、前記外周面保持材５８により前記吸着体３４の端面に接触した状態に保持される端面保持材６０とを備えている。外周面保持材５８は、非通気性のゴム状弾性材により形成されている。また、端面保持材６０は、通気性を有するゴム状弾性材、例えば発泡ウレタンにより形成されており、外周面保持材５８の弾性よりも低い弾性を有している。また、端面保持材６０は、前記吸着体３４の端面を全体的に覆う円板状に形成されている。
【００３０】
前記外周面保持材５８は、円環状に形成されている。外周面保持材５８は、前記吸着体３４の外周面に接触する主保持部５８ａ、及び、前記端面保持材６０を前記吸着体３４の端面に接触した状態に保持する副保持部５８ｂを有する断面Ｌ字状に形成されている。また、主保持部５８ａの自由端部（図１４において下端部）には、テーパ円筒状のリップシール部６１が形成されている。リップシール部６１は、吸着体３４の挿入方向と反対方向（図１１において上方、図１４において下方）へ向かって外径を次第に大きくするリップ状に形成されている。
【００３１】
また、第２の保持部材５６の外周面保持材５８は、前記吸着体３４に対して、前記第１の保持部材５５の外周面保持材５８と上下対称状をなすように配置されている。このため、第２の保持部材５６の外周面保持材５８のリップシール部６１は、外周面保持材５８の外周面から、吸着体３４の挿入方向と反対方向（図１２において上方）へ向かって外径を次第に大きくするテーパ状に形成されている。
【００３２】
次に、前記副ケース体１６のケース筒部２７内に前記吸着体３４を挿入するに際して、吸着体３４の挿入側（図１０において下側）の端部には、第１の保持部材５５が配置される。すなわち、第１の保持部材５５において、端面保持材６０が吸着体３４の挿入側（図１１において下側、図１４において上側）の端面に面接触状に整合された状態で、外周面保持材５８が吸着体３４の当該端部に嵌合により弾性的に装着される（図１１、図１３及び図１４参照）。
【００３３】
また、吸着体３４の挿入側と反対側（図１０において上側）の端部には、前記第１の保持部材５５と上下対称状をなすように第２の保持部材５６が配置される。すなわち、第２の保持部材５６において、端面保持材６０が吸着体３４の挿入側と反対側（図１２において上側）の端面に面接触状に整合された状態で、外周面保持材５８が吸着体３４の当該端部に嵌合により弾性的に装着される（図１２参照）。
【００３４】
両保持部材５５，５６を装着した吸着体３４は、前記副ケース体１６のケース筒部２７内に蓋板部２８の取付けに先立って挿入される。すると、図１１に示すように、第１の保持部材５５の外周面保持材５８の主保持部５８ａの外周面とケース筒部２７の内周面との間に隙間が形成される状態で、リップシール部６１の大径側端部がケース筒部２７の内周面に弾性的に接触する。また、図１２に示すように、第２の保持部材５６の外周面保持材５８の主保持部５８ａの外周面とケース筒部２７の内周面との間に隙間が形成される状態で、リップシール部６１の大径側端部がケース筒部２７の内周面に弾性的に接触する。これにより、ケース筒部２７内に吸着体３４が両保持部材５５，５６により弾性的に保持される。これとともに、ケース筒部２７と吸着体３４との間が両保持部材５５，５６の外周面保持材５８によって弾性的にシールされる。なお、第１の保持部材５５の外周面保持材５８の副保持部５８ｂは、前記フィルター４０に対して近接又は当接される（図１１参照）。また、第２の保持部材５６の外周面保持材５８の副保持部５８ｂ上には、前記押さえ部材４２の押さえ部４２ａが当接される（図１２参照）。
【００３５】
前記した蒸発燃料処理装置１０によると、両保持部材５５，５６が備える外周面保持材５８が吸着体３４の外周面に接触するとともに、該両保持部材５５，５６が備える端面保持材６０が吸着体３４の端面に接触することにより、ケース１２（詳しくは、副ケース体１６）内に吸着体３４を弾性的に保持することができる。ところで、端面保持材６０が外周面保持材５８の弾性よりも低い弾性を有するものであるから、吸着体３４の肩部３４ａに加わる外力を低減することができる。これによって、両保持部材５５，５６による吸着体３４の肩部３４ａの破損を防止あるいは低減することができる。
【００３６】
また、端面保持材６０が、吸着体３４の端面を全体的に覆いかつ通気性を有する部材である。したがって、端面保持材６０により、吸着体３４の端面を全体的に保護しながらも、吸着体３４に対する通気性を確保することができる。また、端面保持材６０が吸着体３４の端面に全体的に面しているため、吸着体３４の端面に非通気性の部材が面することによる吸着体３４の吸着性能の低下を回避することができる。
【００３７】
［実施例５］
本発明の実施例５を説明する。本実施例は、前記実施例２に変更を加えたものである。なお、図１５は蒸発燃料処理装置を一部破断して示す側面図である。
図１５に示すように、本実施例の蒸発燃料処理装置１１０は、前記実施例２（図７参照）における第１の保持部材３７を前記実施例４における第１の保持部材５５に変更するとともに、前記実施例２における第２の保持部材３８を前記実施例４における第２の保持部材５６に変更したものである。
【００３８】
［実施例６］
本発明の実施例６を説明する。本実施例は、前記実施例４における第１の保持部材５５の外周面保持材５８に変更を加えたものである。なお、図１６は第１の保持部材を装着した吸着体を示す端面図、図１７は同じく要部を示す側断面図である。
図１６及び図１７に示すように、本実施例は、前記実施例４（図１３及び図１４参照）における第１の保持部材５５の外周面保持材５８の副保持部５８ｂを、主保持部５８ａ内に十文字状のリブ型の副保持部５８ｃに変更したものである。このように、外周面保持材５８の主保持部５８ａ内にリブ型の副保持部５８ｃを設けることにより、主保持部５８ａを補強することができる。なお、リブ型の副保持部５８ｃの形状は、外周面保持材５８の主保持部５８ａを補強する形状であればよく、十文字の他、例えば一文字、３本スポーク状、メッシュ状等のように種々の形状が考えられる。また、リブ型の副保持部５８ｃは、前記第２の保持部材５６における外周面保持材５８に適用することもできる。
【００３９】
［実施例７］
本発明の実施例７を説明する。本実施例は、前記実施例１における吸着体３４の保持構造を変更したものである。なお、図１８は蒸発燃料処理装置を一部破断して示す側面図、図１９は図１８のXIX部を示す断面図、図２０は図１８のXX部を示す断面図である。また、説明の都合上、図１８において、下側の保持部材を第１の保持部材６５といい、上側の保持部材を第２の保持部材６６という。また、本実施例では、前記実施例１（図１参照）における副ケース体１６内の押さえ部材４２及び押さえスプリング４３が省略されている、また、副ケース体１６のケース筒部２７は、上下２段の段付円筒状に形成されている。これにより、ケース筒部２７は、吸着体３４の挿入側の端部（下端部）に対応する第１の段付部６８と、該吸着体３４の挿入側と反対側の端部（上端部）付近に対応する第２の段付部６９とを有している。
【００４０】
第１の保持部材６５を説明する。図１９に示すように、第１の保持部材６５は、前記吸着体３４の外周面に接触する外周面保持材７１と、前記吸着体３４の端面に接触する端面保持材７２とをそれぞれ独立的に備えている。外周面保持材７１は、非通気性のゴム状弾性材により形成されている。なお、図２１は第１の保持部材の外周面保持材を示す平面図、図２２は同じく側断面図である。
【００４１】
前記端面保持材７２は、通気性を有するゴム状弾性材、例えば発泡ウレタンにより形成されており、外周面保持材７１の弾性よりも低い弾性を有している。また、端面保持材７２は、円板状に形成され、前記ケース筒部２７（詳しくは、第１の段付部６８の下側（小径側）の筒状部）内に嵌合されている。端面保持材７２は、前記フィルター４０上に近接又は重合されている。また、端面保持材７２上に、前記吸着体３４の端面が面接触されている。
【００４２】
図２１及び図２２に示すように、前記外周面保持材７１は、円環状に形成されている。外周面保持材７１は、円筒状の取付基部７４と、その取付基部７４の内周面に形成されたテーパ円筒状のリップシール部７５とを有している。図１９に示すように、取付基部７４は、前記ケース筒部２７（詳しくは、第１の段付部６８の上側（大径側）の筒状部）内に弾性的に嵌合されており、該段付部６８上に当接されている。また、取付基部７４と吸着体３４の外周面との間には環状の隙間が形成されている。また、リップシール部７５は、下方に向かって次第に内径を小さくするリップ状に形成されており、前記吸着体３４の挿入側端部の外周面に弾性的に接触している。
【００４３】
次に、第２の保持部材６６を説明する。図２０に示すように、第２の保持部材６６は、前記吸着体３４の外周面に接触する外周面保持材７７と、前記吸着体３４の端面に接触する端面保持材７８とをそれぞれ独立的に備えている。外周面保持材７７は、非通気性のゴム状弾性材により形成されている。なお、図２３は第２の保持部材の外周面保持材を示す平面図、図２４は同じく側断面図である。
【００４４】
前記端面保持材７８は、通気性を有するゴム状弾性材、例えば発泡ウレタンにより形成されており、外周面保持材７７の弾性よりも低い弾性を有している。また、端面保持材７８は、円板状に形成され、前記ケース筒部２７（詳しくは、第２の段付部６９の上側（大径側）の筒状部）内に嵌合されている。端面保持材７２は、前記吸着体３４の端面上に面接触されている。また、端面保持材７２の外周部上に、前記蓋板部２８の外周部が面接触されている。
【００４５】
図２３及び図２４に示すように、前記外周面保持材７７は、円環状に形成されている。外周面保持材７７は、円環板状の取付基部８０と、その取付基部８０の内周部から下方へ断面Ｌ字状に突出された筒部８１と、その筒部８１の先端部から二又状に分岐された内外一対のテーパ円筒状のリップシール部８２，８３とを有している。図２０に示すように、取付基部８０は、前記ケース筒部２７（詳しくは、第２の段付部６９の上側（大径側）の筒状部）内に弾性的に嵌合されており、該段付部６９上に当接されている。また、筒部８１の内周面と吸着体３４の外周面との間には環状の隙間が形成されているとともに、筒部８１の外周面とケース筒部２７（詳しくは、第２の段付部６９の上側（大径側）の筒状部）の内周面との間には環状の隙間が形成されている。また、内側のリップシール部８２は、下方に向かって次第に内径を小さくするリップ状に形成されており、前記吸着体３４の挿入側と反対側の端部の外周面に弾性的に接触している。また、外側のリップシール部８３は、下方に向かって次第に外径を大きくするリップ状に形成されており、ケース筒部２７（詳しくは、第２の段付部６９の上側（大径側）の筒状部）の内周面に弾性的に接触している。
【００４６】
前記した蒸発燃料処理装置１０によると、両保持部材６５，６６が備える外周面保持材７１，７７（詳しくは、リップシール部７５，８２）が吸着体３４の外周面に接触するとともに、該両保持部材６５，６６が備える端面保持材７２，７８が吸着体３４の端面に接触することにより、ケース１２（詳しくは、副ケース体１６）内に吸着体３４を弾性的に保持することができる。ところで、外周面保持材７１，７７と端面保持材７２，７８とをそれぞれ独立的に備え、端面保持材７２，７８が外周面保持材７１、７７の弾性よりも低い弾性を有するものであるから、吸着体３４の肩部３４ａに加わる外力を低減することができる。これによって、両保持部材６５，６６による吸着体３４の肩部３４ａの破損を防止あるいは低減することができる。
【００４７】
また、端面保持材７２，７８が、吸着体３４の端面を全体的に覆いかつ通気性を有する部材である。したがって、端面保持材７２、７８により、吸着体３４の端面を全体的に保護しながらも、吸着体３４に対する通気性を確保することができる。また、端面保持材７２，７８が吸着体３４の端面に全体的に面しているため、吸着体３４の端面に非通気性の部材が面することによる吸着体３４の吸着性能の低下を回避することができる。
【００４８】
［実施例８］
本発明の実施例８を説明する。本実施例は、前記実施例２に変更を加えたものである。なお、図２５は蒸発燃料処理装置を一部破断して示す側面図である。
図２５に示すように、本実施例の蒸発燃料処理装置１１０は、前記実施例２（図７参照）における第１の保持部材３７を前記実施例７（図１８参照）における第１の保持部材６５に変更するとともに、前記実施例２（図７参照）における第２の保持部材３８を前記実施例７における第２の保持部材６６に変更したものである。また、主ケース体１４には、前記実施例７（図１８参照）の上下２段の段付円筒状のケース筒部２７が形成されている。
【００４９】
本発明は上記した実施例に限定されるものではなく、本発明の要旨を逸脱しない範囲における変更が可能である。例えば、本明細書又は図面に説明した技術要素は、単独あるいは組合せによって技術的有用性を発揮するものであり、請求項に記載のものに限定されるものではない。また、本明細書または図面に例示した技術は、複数の目的を同時に達成するものであり、そのうちの一つの目的を達成すること自体で技術的有用性をもつものである。また、前記実施例では、第１の保持部材及び第２の保持部材に本発明を適用したが、少なくとも一方の保持部材に本発明を適用するものであればよい。また、異なる実施例における第１の保持部材と第２の保持部材を組合わせることもできる。
【符号の説明】
【００５０】
１０  蒸発燃料処理装置
１２  ケース
１４  主ケース体
１６  副ケース体
３４  吸着体
３４ａ  肩部
３７  第１の保持部材
３８  第２の保持部材
４５  外周面保持部
４７  端面保持部
４９  逃がし凹部
５５  第１の保持部材
５６  第２の保持部材
５８  外周面保持材
６０  端面保持材
６５  第１の保持部材
６６  第２の保持部材
７１  外周面保持材
７２  端面保持材
７７  外周面保持材
７８  端面保持材
１１０  蒸発燃料処理装置
【図１】
2011220345.tif 000003
【図２】
2011220345.tif 000004
【図３】
2011220345.tif 000005
【図４】
2011220345.tif 000006
【図５】
2011220345.tif 000007
【図６】
2011220345.tif 000008
【図７】
2011220345.tif 000009
【図８】
2011220345.tif 000010
【図９】
2011220345.tif 000011
【図１０】
2011220345.tif 000012
【図１１】
2011220345.tif 000013
【図１２】
2011220345.tif 000014
【図１３】
2011220345.tif 000015
【図１４】
2011220345.tif 000016
【図１５】
2011220345.tif 000017
【図１６】
2011220345.tif 000018
【図１７】
2011220345.tif 000019
【図１８】
2011220345.tif 000020
【図１９】
2011220345.tif 000021
【図２０】
2011220345.tif 000022
【図２１】
2011220345.tif 000023
【図２２】
2011220345.tif 000024
【図２３】
2011220345.tif 000025
【図２４】
2011220345.tif 000026
【図２５】
2011220345.tif 000027
【図２６】
2011220345.tif 000028